(57)【要約】【課題】パンツとガードル機能とを一体化させた衣服において、下腹部の効果的な引締め作用や、腰痛の緩和や防止作用が得られる、改良されたガードル付きパンツを提供する。【解決手段】前面の縦ファスナ部６備えたウェスト部３と、このウェスト部３の下方側に続くパンツ本体２と、縦ファスナ部６を閉じた状態において腹部を周方向に締付ける締付手段５とを有したガードル機能付きパンツにおいて、締付手段５はウェスト部３に沿って配置されるゴムベルト１１であり、ゴムベルト１１の中央領域は、ウェスト部３の後側において内生地と外生地との間に形成される袋部分に収容され、かつ、ゴムベルト１１の両端部１３どうしが、ウェスト部３の前側において着脱自在となる面ファスナ１２を有し、両端部１３どうしが固定された状態では、腹部の前側部位が上方に持上げられつつ締付けられるべく両端部１３が傾斜配置される。【選択図】図１  
2005226201.tif 000002
【特許請求の範囲】
【請求項１】
縦向きで開閉自在な開閉部を備えたウェスト部と、このウェスト部の下方側に続く脚覆い部と、前記開閉部を閉じた状態において前記ウェスト部に囲繞されている身体部分を周方向に締付け可能な締付手段とを有して成るガードル機能付き下半身用衣服であって、
前記締付手段は前記ウェスト部に沿って配置される弾性材製の帯状体であり、この帯状体の長手方向での中央領域は、前記ウェスト部の後側において内生地と外生地との間に形成される袋部分に収容され、かつ、前記帯状体の両端部どうしが、前記ウェスト部の前側において着脱自在に固定される固定機構を有し、両前記端部どうしが固定された状態では、前記身体部分の前側部位が上方に持上げられつつ締付けられるべく両前記端部が傾斜状態で配置されているガードル機能付き下半身用衣服。
【請求項２】
前記固定機構は、両前記端部の固定位置が前記ウェスト部の周方向に調節可能なものに構成されている請求項１に記載のガードル機能付き下半身用衣服。
【請求項３】
前記ウェスト部の後側部分にはボーンが装備されている請求項１又は２に記載のガードル機能付き下半身用衣服。
【請求項４】
前記帯状体の長手方向での中央部が、前記袋部分において前記ウェスト部に固定されている請求項１〜３のいずれか一項に記載のガードル機能付き下半身用衣服。
【請求項５】
両前記端部は、前記内生地に形成された裂け目を通して前記袋部分から前記ウェスト部の内周側に取り出されており、前記固定機構は、各前記端部が前記ウェスト部の内周側前部に面ファスナを用いて係着及び離脱自在とすることで構成されている請求項１〜４のいずれか一項に記載のガードル機能付き下半身用衣服。
【請求項６】
両前記端部は、前記外生地に形成された裂け目を通して前記袋部分から前記ウェスト部の外周側に取り出されており、前記固定機構は、各前記端部が前記ウェスト部の外周側前部に面ファスナを用いて係着及び離脱自在とすることで構成されている請求項１〜４のいずれか一項に記載のガードル機能付き下半身用衣服。
【請求項７】
両前記端部は、前記外生地に形成された裂け目を通して前記袋部分から前記ウェスト部の外周側に取り出されており、前記固定機構は、両前記端部どうしを前記ウェスト部の前側において面ファスナを用いて係着及び離脱自在とすることで構成されている請求項１〜４のいずれか一項に記載のガードル機能付き下半身用衣服。
【発明の詳細な説明】
【技術分野】
【０００１】
本発明は、腹部を引締めての痩身等に役立つガードル機能が装備されたパンツやスカート等の下半身用衣服に関するものである。
【背景技術】
【０００２】
臀部や腹部、腰部に亘る範囲の体型を整えるべく、主に女性用のアンダーウェアーとしてガードルやコルセット等の体型矯正下着が知られている。これらの体型矯正下着は、伸縮性のある素材で作成されて、下腹部の出っ張りや臀部の形を整える作用を発揮可能なものである。また、妊娠中の腹部の保護や、産後における腹部を引締めて妊娠肥満を抑制したり、元通りの体型に矯正する目的としても使用される。
【０００３】
体型矯正下着は、腹部の太さや体型に応じて多数のサイズが用意されており、装着者は自分の体型にフィットするものを選択して購入し、ショーツとスカート又はパンツとの間に重ね着するのが一般的な使用状態である。このような体型矯正下着としては、特許公報１において開示されたものが知られている。
【０００４】
ところで、ガードルやコルセット等の体型矯正下着は、通常身につける衣服とは別に着用するものであるから、着用する衣服が変わっても共通使用できる便利さはあるが、衣服とは別に装着する面倒がある。加えて、余計に重ね着するものであるから、場合によってはウエスト部分がごろついたりして体にフィットせず、装着感が芳しくないこともある。そこで、対策として、装着感やフィット感を向上させるべく、パンツやスカートにガードルが一体的に装備されたガードル機能付き下半身用衣服が考え出された。
【０００５】
即ち、ガードル機能付き下半身用衣服は、縦向きで開閉自在な開閉部を備えたウェスト部と、このウェスト部の下方側に続く脚覆い部と、開閉部を閉じた状態においてウェスト部に囲繞されている身体部分を周方向に締付け可能な締付手段とを有して成るものであり。このような例としては、特許文献２において開示されたガードル機能付きスカートや、特許文献３において開示されたガードル機能付きパンツ（ズボン）が知られている。
【特許文献１】特開平１０−４６４０６号公報
【特許文献２】実案平５−３２４８５号公報
【特許文献３】特開平１０−２５６０２号公報
【発明の開示】
【発明が解決しようとする課題】
【０００６】
しかしながら、特許文献２や３に記載されたものは、ガードル機能、即ち腹部等を締付ける機能としては、ウエスト部が細くなるように単に周方向に締付けるものであったため、例えば、垂れ下がり気味の下腹部をそのまま締付けてしまい、胴回り寸法は減少させることは可能であっても、体型の崩れを矯正できるまでには至らないものであった。また、これらの従来技術のものでは、単にガードルの要素を衣服に移管したような作りとなっているので、体型矯正の他の機能、例えば、腰を安定的に押圧支持して腰痛を緩和する作用までは発揮し得ないないものであった。
【０００７】
本発明の目的は、構造工夫により、スカート、パンツ等の下半身用衣服とガードル機能とを一体化させたものにおいて、下腹部の効果的な引き締め作用が行えるとか、腰痛の緩和や防止が可能となるように、改良されたガードル機能付き下半身用衣服を提供する点にある。
【課題を解決するための手段】
【０００８】
請求項１の構成は、縦向きで開閉自在な開閉部を備えたウェスト部と、このウェスト部の下方側に続く脚覆い部と、前記開閉部を閉じた状態において前記ウェスト部に囲繞されている身体部分を周方向に締付け可能な締付手段とを有して成るガードル機能付き下半身用衣服において、
前記締付手段は前記ウェスト部に沿って配置される弾性材製の帯状体であり、この帯状体の長手方向での中央領域は、前記ウェスト部の後側において内生地と外生地との間に形成される袋部分に収容され、かつ、前記帯状体の両端部どうしが、前記ウェスト部の前側において着脱自在に固定される固定機構を有し、両前記端部どうしが固定された状態では、前記身体部分の前側部位が上方に持上げられつつ締付けられるべく両前記端部が傾斜状態で配置されていることを特徴とする。
【０００９】
請求項２の構成は、請求項１に記載のガードル機能付き下半身用衣服において、前記固定機構は、両前記端部の固定位置が前記ウェスト部の周方向に調節可能なものに構成されていることを特徴とする。
【００１０】
請求項３の構成は、請求項１又は２に記載のガードル機能付き下半身用衣服において、前記ウェスト部の後側部分にはボーンが装備されていることを特徴とする。
【００１１】
請求項４の構成は、請求項１〜３のいずれか一項に記載のガードル機能付き下半身用衣服において、前記帯状体の長手方向での中央部が、前記袋部分において前記ウェスト部に固定されていることを特徴とする。
【００１２】
請求項５の構成は、請求項１〜４のいずれか一項に記載のガードル機能付き下半身用衣服において、両前記端部は、前記内生地に形成された裂け目を通して前記袋部分から前記ウェスト部の内周側に取り出されており、前記固定機構は、各前記端部が前記ウェスト部の内周側前部に面ファスナを用いて係着及び離脱自在とすることで構成されていることを特徴とする。
【００１３】
請求項６の構成は、請求項１〜４のいずれか一項に記載のガードル機能付き下半身用衣服において、両前記端部は、前記外生地に形成された裂け目を通して前記袋部分から前記ウェスト部の外周側に取り出されており、前記固定機構は、各前記端部が前記ウェスト部の外周側前部に面ファスナを用いて係着及び離脱自在とすることで構成されていることを特徴とする。
【００１４】
請求項７の構成は、請求項１〜４のいずれか一項に記載のガードル機能付き下半身用衣服において、両前記端部は、前記外生地に形成された裂け目を通して前記袋部分から前記ウェスト部の外周側に取り出されており、前記固定機構は、両前記端部どうしを前記ウェスト部の前側において面ファスナを用いて係着及び離脱自在とすることで構成されていることを特徴とする。
【発明の効果】
【００１５】
請求項１の構成によれば、ガードル機能を生む帯状体は、その長手方向中央領域、つまりはウェスト部の後側で腰に当たる部分が、外生地と内生地との間の袋部分に収容されて一体化されており、内生地を介して締付けるので、従来のような装着時の不快感（ウェスト部分のゴロつき）が無く、装着感が改善されるとともに、表に出ないので衣服としての腰部分の外観をすっきりとしたものにすることが可能になる。腹部、腰等の身体部分を締付ける手段である弾性材製の帯状体は、その両端部どうしが着脱自在に固定されるから、衣服の着脱時や、装着しないときには端部の固定を解除して、帯状体による弾性力が作用しない状態にすることができて脱ぎ着がし易いとか、帯状体の弾性力による衣服のしわ寄り現象が開放されることから、不使用時における衣服の型崩れ防止が行える利点がある。
【００１６】
また、帯状体の両端部が傾斜配置されており、それによって身体部分の前側部位、即ち腹部や下腹部を上方に持上げながら周方向に締付けるように締付手段が作用することになり、単に周方向に締付ける場合に比べて、より優れた体型矯正効果を得ることが可能になる。これにより、腰にはやや下方に押圧されながら周方向の締付力が作用するようになり、腰痛緩和効果や腰痛防止効果を得ることも可能になる。
【００１７】
請求項２の構成によれば、帯状体による締付力の調整が行えるものとなり、腹部の寸法や体型、或いはその日の体調に応じて、最適な締付力を調節設定することが可能になる。これにより、請求項１の構成による前記効果をより有効に発揮させられる利点がある。
【００１８】
請求項３の構成によれば、ウェスト部の後側部分に装備されたボーンにより、衣服の形状安定化が行えると共に、装着時における腰を安定支持して腰部の保護及び安定化が図れて、腰痛緩和、防止効果をより有効に発揮できるようになる。
【００１９】
請求項４の構成によれば、腰相当部分において表裏の生地間に収容される帯状体の左右中央部がウェスト部に固定されているので、帯状体が左右に位置すれしたり、外れてしまうことが無い。従って、下半身用衣服の装着時においては、操作簡単にして左右均等に締付作用を発揮させることができるとともに、帯状体の紛失おそれが解消するという効果を得ることができる。
【００２０】
請求項５の構成によれば、帯状体の両端部がウェスト部の内周側に位置するので、締付手段である帯状体が外部から見えない状態となって、衣服の外観向上に寄与できると共に、露出されている面ファスナを操作するという簡単な操作で締付力の調節が行えるようになる。そして、その面ファスナは帯状体の端部とウェスト部分の前側とを固定するものであるから、帯状体の両端部どうしは衣服のウェスト部を介して相対固定されるものとなり、帯状体の長さ短縮が可能になるとともに、ウェスト部の前側における帯状体が省略できて、その部分でのゴロつき感が抑制又は解消され、下半身用衣服の装着感が向上可能となる利点もある。
【００２１】
請求項６の構成によれば、帯状体の両端部がウェスト部の外周側に位置して、締付手段である帯状体が外部から見える外観部品となるから、これの形状、色、大きさ等を工夫することでお洒落を演出することが可能となる。固定機構である面ファスナは外に露出されているので、締付力の調節操作が簡単に行えるとともに、身体に装着した状態でも調節自在となる便利さがあある。そして、その面ファスナは帯状体の端部とウェスト部分の前側とを固定するものであるから、帯状体の両端部どうしは衣服のウェスト部を介して相対固定されるものとなり、帯状体の長さ短縮が可能になるとともに、ウェスト部の前側における帯状体が省略できて、その部分でのゴロつき感が抑制又は解消され、下半身用衣服の装着感が向上可能となる利点もある。
【００２２】
請求項７の構成によれば、帯状体の両端部がウェスト部の外周側に位置して、締付手段である帯状体が外部から見える外観部品となるから、これの形状、色、大きさ等を工夫することでお洒落を演出することが可能となる。
【発明を実施するための最良の形態】
【００２３】
以下、本発明によるガードル機能付き下半身用衣服の実施の形態として、ガードル機能付パンツ（コルセット付きパンツ）の場合について、図面に基づいて説明する。図１〜図７は実施例１によるガードル機能付パンツを、図９、図１０は、夫々実施例２，３によるガードル機能付パンツを示す。図８は、各実施例によるガードル機能付パンツの身体への締付作用を示している。
【実施例１】
【００２４】
実施例１によるガードル機能付パンツ１は、図１、図２に示すように、縦向きで開閉自在な開閉部６を前側の左右中央位置に備えたウェスト部３と、このウェスト部３の下方側に続く一対の脚覆い部４から成るパンツ本体２と、開閉部６を閉じた状態においてウェスト部３に囲繞されている使用者の身体部分（腹部、腰部）を周方向に締付け可能な締付手段５とを有して構成されている。開閉部６は、ウェスト部３の上端から股下付近まで延びるように取付けられたファスナで構成されており、これの左右に位置する左前見頃３Ｌ、右前見頃３Ｒ、及び後見頃３Ｔとによってウェスト部３が形成されている。
【００２５】
ライン無しに設定されている左右の脚覆い部４の後側上端部には、上下に延びるダーツ７が形成されている。ウェスト部３における左右の前見頃３Ｌ，３Ｒは、ファスナ６側ほど（左右中央側ほど）下方に位置する斜め仕立て仕様に形成されている。ウェスト部３は、図３、図５に示すように、内生地８と外生地９とを上下端部で縫合して成る材料を用いており、内生地８と外生地９との間は袋部分１０となっている。
【００２６】
締付手段５は、図３〜図６に示すように、ウェスト部３に沿って配置されるゴム製のベルト（弾性材製の帯状体の一例）１１であり、このベルト１１の長手方向での中央領域は、ウェスト部３の後側において内生地８と外生地９との間に形成される袋部分１０に収容され、かつ、ベルト１１の両ベルト端部１３どうしが、ウェスト部３の前側において着脱自在に固定される固定機構１２を有し、両ベルト端部１３どうしが固定された状態では、下腹部（身体部分の前側部位の一例）が上方に持上げられつつ締付けられるべく両ベルト端部１３が傾斜状態で配置されている。
【００２７】
ベルト１１は、図５、図６に示すように、帯状のゴムから成るベルト本体１４の両端に、固定機構１２の一例である面ファスナ（所謂マジックテープ：商標）を構成する係合側部材１３が縫合によって一体化されたものであり、その係合側部材１３がベルト１１のベルト端部１３を形成している。面ファスナ１２の被係合側部材１５は、図４、図５に示すように、左右の前見頃３Ｌ，３Ｒの内周側、即ち内生地８の表面に縫合によって取着されている。
【００２８】
つまり、図４、図５に示すように、両ベルト端部１３は、内生地８に形成された裂け目１６を通して袋部分１０からウェスト部３の内周側に取り出されており、固定機構は、各ベルト端部１３がウェスト部３の内周側前部に面ファスナ１２を用いて係着及び離脱自在とすることで構成されている。これら面ファスナ１２は、図１に示すように、各前見頃３Ｌ，３Ｒの外郭ラインと平行になるように、正面視においては左右中央側ほど下方に位置するように、傾斜配置されている。裂け目１６は、前見頃３Ｌ、３Ｒの内生地８と、後見頃３Ｔの内生地８とが縫合される縦縫合部１７を、部分的に開放することで形成されている。
【００２９】
面ファスナ１２の採用により、係合側部材１３の被係合側部材１５に対する係着及び離脱（剥離）により、ベルト端部１３の被係合側部材１５との周方向位置が調節自在であり、ベルト１１による締付作用を調節できるようになっている。つまり、固定機構１２は、両端部１３の固定位置がウェスト部３の周方向に調節可能なものに構成されている。また、図２、図３に示すように、ベルト１１は、後見頃３Ｔの袋部分１０に収容されているベルト本体１４の左右中央部は、内生地８又は外生地９、或いはこれらの双方８，９に縫い付けての縫合固定部２０により、ウェスト部３に固定されている。
【００３０】
図１、図２、図５、図７に示すように、後見頃（ウェスト部の後側部分）３Ｔには複数（４箇所）のボーン１８が装備されている。強度を有する合成樹脂製で帯状のボーン１８は、内生地８における表地８Ａと裏地８Ｂとの間に収容され、かつ、その周囲を縫付けることにより、上下向き姿勢に位置決めされた状態で左右対称に配置されている。故に、ボーン１８を位置固定するための縫合部、即ちステッチ１９は、図１に示すように、ウェスト部３の内周側に表れ、外からは見えない。ベルト１１はそれらボーン１８の後側を通る状態に構成されているので、開閉部６を閉じての装着状態では、下腹部を上方に持上げながら締付けるとともに、腰部は複数のボーン１８を介してやや下方に締付けることとなる。
【００３１】
以上のように、実施例１のガードル機能付きパンツ１では、ベルト端部１３の傾斜配置により、図８に示すように、斜め上方に持上げつつの締付作用が領域ｅにおいて作用し、使用者Ｍの下腹部ｋの垂れ下がりを抑制或いは防止しながらの体型矯正が行える。そして、腰部は複数のボーン１８によってしっかりと安定支持された状態で締付けられ、腰痛の防止或いは緩和作用が良好に発揮できるという、すぐれた効果を発揮することができる。４本のボーン１８の夫々には、腰部を保護する圧力が均等又はほぼ均等に加えられるので、部分的に強く押すこと無く、腰全体を全体的に優しく快適に押圧できる利点がある。
【００３２】
また、左右の面ファスナ１２により、ベルト１による締付力を体型やコンディションに合わせて調節設定でき、最適なガードル機能を発揮させることができる。しかも、ベルト１１は外からは全く見えないので、外観上は普通のパンツであり、腹部のシルエットを美しくするガードル機能付きであることが使用者以外には知られないという利点もある。
【００３３】
尚、図示は省略するが、前見頃３Ｌ，３Ｒが図１に示すように傾斜せず、水平な仕立てのパンツ又はスカートであっても、面ファスナ１２の取り付け状態を図４に示す傾斜配置とする等、ウェスト部３の前側におけるベルト１１（締付手段５）による引張り方向が斜め上方に向かうように構成すれば良い。
【実施例２】
【００３４】
実施例２によるガードル機能付きパンツ１は、図９に示すように、ベルト１１の両ベルト端部１３がウェスト部３の外周側に取り出された構造（ウェスト部３の見返し部分にベルト１１を出す手段）である。即ち、外生地９に形成された裂け目２１を通して袋部分１０（図７参照）からウェスト部３の外周側に取り出されており、固定機構である面ファスナ１２は、各ベルト端部１３が左右の前見頃３Ｌ，３Ｒ（ウェスト部３の外周側前部）に逢着された被係合部材１５に対して係着及び離脱自在とすることで構成されている。その他の部分は実施例１のものと同様であり、同じ機能を生じる箇所には同じ符号を付記するものとする。
【００３５】
本構造によれば、面ファスナ１２がウェスト部３の外側に配備されているので、使用者がガードル機能付パンツ１を身に付けている使用状態であっても、面ファスナ１２を容易に調節操作することができ、ガードル機能による締付力を簡単で便利に調節できる利点がある。
【実施例３】
【００３６】
実施例３によるガードル機能付きパンツ１は、図１０（ａ）に示すように、ベルト１１の端部１３どうしを直接に相対固定させる手段である。即ち、外生地９に形成された裂け目２１を通して袋部分１０（図７参照）からウェスト部３の外周側に取り出されており、固定機構１２は、両端部１３どうしをウェスト部３の前側において面ファスナ１２を用いて係着及び離脱自在とすることで構成されている。この場合、開閉部６は、前見頃３Ｌと後見後３Ｔとの境目部に形成されており、ファスナやボタン等の適宜の開閉機構が配備される。開閉部６は左右の一方にあれば良いが、両方に有っても良い。また、左右の前見頃３Ｌ，３Ｒは一体に形成されるが、それらの間に開閉部６が存在する構造としても良い。
【００３７】
本構造において、身体部分の前側部位が上方に持上げられつつ締付けられるべく両端部１３が傾斜状態で配置されるために、図１０（ｂ）に示すように、ベルト１１のベルト本体１４を、中央の水平部分１４Ａとその両端の傾斜部分１４Ｂとから成る屈曲形状のものに形成し、ウェスト部３の前側において、両ベルト端部１３をクロス配置した際には、両ベルト端部１３どうしが角度を持って交差するように、極自然に傾斜される構造とするのが望ましい。
【００３８】
本構造によれば、面ファスナ１２を構成する係合側部材１３と被係合側部材１５とが、両ベルト端部１３に振分け配置されて成るから、ウェスト部３の前側部位には固定機構のための何らの改造（追加構造）も不要であり、構造のシンプル化を図りながら、実施例２の構成による前記作用効果を発揮できる利点がある。
【図面の簡単な説明】
【００３９】
【図１】ガード利機能付パンツの全体正面図（実施例１）
【図２】ガード利機能付パンツの全体背面図（実施例１）
【図３】ウェスト部後部におけるベルト収容状態を示す腰部の詳細図（実施例１）
【図４】ベルト端部の面ファスナ部分を示す要部の詳細図（実施例１）
【図５】ベルトの装着構造を示すウェスト部の展開図（実施例１）
【図６】ベルト単体を示す正面図（実施例１）
【図７】ウェスト部の後側の縦断面図（実施例１）
【図８】締付手段による身体への締付状況を示す作用図
【図９】別構造の締付手段を示すウェスト部の斜視図（実施例２）
【図１０】（ａ）は別構造の締付手段を示すウェスト部の斜視図（実施例３）、（ｂ）はベルトの形状を示す要部の正面図
【符号の説明】
【００４０】
１            ガードル機能付き下半身用パンツ
２            パンツ本体
３            ウェスト部
４            脚覆い部
５            締付手段
６            開閉部
８            内生地
９            外生地
１０          袋部分
１１          帯状体
１２          固定機構
１３          端部
１６，２１    裂け目
１８          ボーン
【図１】
2005226201.tif 000003
【図２】
2005226201.tif 000004
【図３】
2005226201.tif 000005
【図４】
2005226201.tif 000006
【図５】
2005226201.tif 000007
【図６】
2005226201.tif 000008
【図７】
2005226201.tif 000009
【図８】
2005226201.tif 000010
【図９】
2005226201.tif 000011
【図１０】
2005226201.tif 000012